【手続補正書】
【提出日】平成28年2月19日(2016.2.19)
【手続補正１】
【補正対象書類名】明細書
【補正対象項目名】発明の名称
【補正方法】変更
【補正の内容】
【発明の名称】情報処理装置、その制御方法、及びプログラム、並びに、情報処理システム、その制御方法、及びプログラム
【手続補正２】
【補正対象書類名】明細書
【補正対象項目名】００１１
【補正方法】変更
【補正の内容】
【００１１】
そこで、本発明は、投影された投影データに対する操作を行ったことを示す証跡を残すことを目的とする。
【手続補正３】
【補正対象書類名】明細書
【補正対象項目名】００１２
【補正方法】変更
【補正の内容】
【００１２】
上記の目的を達成するために、本発明の情報処理装置は、投影データを投影する投影装置と、前記投影データが投影される面である投影面を撮像する撮像装置と通信可能に接続される情報処理装置であって、投影面に対するオブジェクトの進入方向と前記撮像装置による撮像を指示する処理内容とを紐づけて記憶する記憶手段と、前記投影面上に進入したオブジェクトの当該投影面に対する進入方向が、前記記憶手段に撮像を指示する処理内容と紐づいている場合に、前記オブジェクトを含む画像データが撮像されるよう前記撮像装置による撮像を制御する撮像制御手段と、前記撮像装置で撮像された画像データを保存する画像データ保存手段とを備えることを特徴とする。
【手続補正４】
【補正対象書類名】明細書
【補正対象項目名】００１３
【補正方法】変更
【補正の内容】
【００１３】
本発明によれば、投影された投影データに対する操作を行ったことを示す証跡を残すことのできる効果を奏する。
【手続補正５】
【補正対象書類名】特許請求の範囲
【補正対象項目名】全文
【補正方法】変更
【補正の内容】
【特許請求の範囲】
【請求項１】
投影データを投影する投影装置と、前記投影データが投影される面である投影面を撮像する撮像装置と通信可能に接続される情報処理装置であって、
前記投影面に対するオブジェクトの進入方向と前記撮像装置による撮像を指示する処理内容とを紐づけて記憶する記憶手段と、
前記投影面上に進入したオブジェクトの当該投影面に対する進入方向が、前記記憶手段に撮像を指示する処理内容と紐づいている場合に、前記オブジェクトを含む画像データが撮像されるよう前記撮像装置による撮像を制御する撮像制御手段と、
前記撮像装置で撮像された画像データを保存する画像データ保存手段と
を備えることを特徴とする情報処理装置。
【請求項２】
前記投影面上の前記オブジェクトが前記投影面をタッチしたか否かを判定する判定手段を更に備え、
前記撮像制御手段は、前記判定手段で前記オブジェクトが投影面をタッチしたと判定され、当該投影面上に進入したオブジェクトの当該投影面に対する進入方向が、前記記憶手段に撮像を指示する処理内容と紐づいている場合に、前記オブジェクトを含む画像データが撮像されるよう前記撮像装置による撮像を制御することを特徴とする請求項１に記載の情報処理装置。
【請求項３】
前記投影面上のオブジェクトの位置を特定する位置特定手段を更に備え、
前記記憶手段は、前記撮像装置による撮像を指示する処理内容を、前記投影面に対するオブジェクトの進入方向に加え、前記投影面上の所定領域にも紐づけて記憶しており、
前記撮像制御手段は、前記位置特定手段によって前記オブジェクトの位置が前記投影面上の所定領域にあると特定され、かつ、当該投影面上に進入したオブジェクトの当該投影面に対する進入方向が、前記記憶手段に撮像を指示する処理内容と紐づいている場合に、当該オブジェクトを含む画像データが撮像されるよう前記撮像装置による撮像を制御すること
を特徴とする請求項１または２に記載の情報処理装置。
【請求項４】
前記画像データ保存手段は、前記オブジェクトの位置が前記投影面上の所定領域にあると特定されることにより前記撮像装置で撮像された画像データと当該所定領域とを対応付けて保存すること
を特徴とする請求項３に記載の情報処理装置。
【請求項５】
前記画像データ保存手段は、前記撮像装置で撮像された画像データと、当該画像データの撮像時に前記投影装置で投影されていた投影データとを対応付けて保存することを特徴とする請求項１乃至４のいずれか１項に記載の情報処理装置。
【請求項６】
前記投影装置で投影されている投影データの投影されている向きを特定する向き特定手段
を更に備え、
前記記憶手段は、前記撮像装置による撮像を指示する処理内容を、前記投影面に対するオブジェクトの進入方向に加え、投影データの投影される向きにも紐づけて記憶しており、
前記撮像制御手段は、前記向き特定手段によって特定された投影データの投影されている向きが、前記記憶手段で撮像を指示する処理内容と紐づいており、かつ、前記投影面上に進入したオブジェクトの当該投影面に対する進入方向が、前記記憶手段に撮像を指示する処理内容と紐づいている場合に、前記オブジェクトを含む画像データが撮像されるよう前記撮像装置による撮像を制御することを特徴とする請求項１乃至６のいずれか１項に記載の情報処理装置。
【請求項７】
前記記憶手段は、投影面の進入方向に対応づいたユーザ情報を更に記憶しており、
前記画像データ保存手段は、前記撮像制御手段で撮像を制御されることにより得られた画像データと、当該画像データの撮像された際のオブジェクトの進入方向と対応付けて前記記憶手段で記憶されるユーザ情報とを対応付けて保存すること
を特徴とする請求項１乃至６のいずれか１項に記載の情報処理装置。
【請求項８】
投影データを投影する投影装置と、前記投影データが投影される面である投影面を撮像する撮像装置と通信可能に接続される情報処理装置であり、投影面に対するオブジェクトの進入方向と前記撮像装置による撮像を指示する処理内容とを紐づけて記憶する記憶手段を備える情報処理装置の制御方法であって、
前記情報処理装置が、
前記投影面上に進入したオブジェクトの当該投影面に対する進入方向が、前記記憶手段に撮像を指示する処理内容と紐づいている場合に、前記オブジェクトを含む画像データが撮像されるよう前記撮像装置による撮像を制御する撮像制御ステップと、
前記撮像装置で撮像された画像データを保存する画像データ保存ステップと
を備えることを特徴とする情報処理装置の制御方法。
【請求項９】
投影データを投影する投影装置と、前記投影データが投影される面である投影面を撮像する撮像装置と通信可能に接続される情報処理装置であり、投影面に対するオブジェクトの進入方向と前記撮像装置による撮像を指示する処理内容とを紐づけて記憶する記憶手段を備える情報処理装置で実行可能なプログラムであって、
前記情報処理装置を、
前記投影面上に進入したオブジェクトの当該投影面に対する進入方向が、前記記憶手段に撮像を指示する処理内容と紐づいている場合に、前記オブジェクトを含む画像データが撮像されるよう前記撮像装置による撮像を制御する撮像制御手段と、
前記撮像装置で撮像された画像データを保存する画像データ保存手段
として機能させることを特徴とするプログラム。
【請求項１０】
投影データを投影する投影装置と、前記投影データが投影される面である投影面を撮像する撮像装置と通信可能に接続される情報処理装置と、投影面に対するオブジェクトの進入方向と前記撮像装置による撮像を指示する処理内容とを紐づけて記憶する記憶装置とを含む情報処理システムであって、
前記投影面上に進入したオブジェクトの当該投影面に対する進入方向が、前記記憶装置に撮像を指示する処理内容と紐づいている場合に、前記オブジェクトを含む画像データが撮像されるよう前記撮像装置による撮像を制御する撮像制御手段と、
前記撮像装置で撮像された画像データを保存する画像データ保存手段と
を備えることを特徴とする情報処理システム。
【請求項１１】
投影データを投影する投影装置と、前記投影データが投影される面である投影面を撮像する撮像装置と通信可能に接続される情報処理装置と、投影面に対するオブジェクトの進入方向と前記撮像装置による撮像を指示する処理内容とを紐づけて記憶する記憶装置とを含む情報処理システムの制御方法であって、
前記情報処理システムが、
前記投影面上に進入したオブジェクトの当該投影面に対する進入方向が、前記記憶装置に撮像を指示する処理内容と紐づいている場合に、前記オブジェクトを含む画像データが撮像されるよう前記撮像装置による撮像を制御する撮像制御ステップと、
前記撮像装置で撮像された画像データを保存する画像データ保存ステップと
を備えることを特徴とする情報処理システムの制御方法。
【請求項１２】
投影データを投影する投影装置と、前記投影データが投影される面である投影面を撮像する撮像装置と通信可能に接続される情報処理装置と、投影面に対するオブジェクトの進入方向と前記撮像装置による撮像を指示する処理内容とを紐づけて記憶する記憶装置とを含む情報処理システムで実行可能なプログラムであって、
前記情報処理システムを、
前記投影面上に進入したオブジェクトの当該投影面に対する進入方向が、前記記憶装置に撮像を指示する処理内容と紐づいている場合に、前記オブジェクトを含む画像データが撮像されるよう前記撮像装置による撮像を制御する撮像制御手段と、
前記撮像装置で撮像された画像データを保存する画像データ保存手段
として機能させることを特徴とするプログラム。